(57)【要約】      （修正有）【課題】互いに接触する部分の損傷を極力少なくすると共に、前後板収容用の隙間を設けることで梱包、保管、運搬等に便利な組立て式柩を提供する。【解決手段】底板１の長手方向両端に設けた側枠板２、３上に連設した両側板５、６を内側へ倒伏した時に互いに略水平状態で先部側が重り合うようにして、しかも底板１との間に前後板７、８が収容できる隙間ｌを有するよう、前記側枠板２、３上の高さ位置を異ならせて形成する。【選択図】図８
0003119927.tif 000002
【実用新案登録請求の範囲】
【請求項１】
長方形状の底板と、この底板の長手方向両端に対向固定した側枠板と、これら側枠板の上端に蝶番にて内側へ倒伏自在に対向連設した側板と、底板の短手方向両端に抜き差し自在に対向立設する前後板および蓋板とから成る組立て式柩において、
前記両側板を内側へ倒伏した時に互いに略水平状態で先部側が重り合うようにして、しかも底板との間に前後板が収容できる隙間を有するよう、前記側枠板上端の高さ位置を異らせて形成したことを特徴とする組立て式柩。
【考案の詳細な説明】
【技術分野】
【０００１】
本考案は、組立て式柩に関する。
【背景技術】
【０００２】
従来のこの種組立て式柩は、長方形状の底板と、この底板の長手方向両端に対向固定した側枠板と、これら側枠板の上端に蝶番にて内側へ倒伏自在に対向連設した側板と、底板の短手方向両端に抜き差し自在に対向立設する前後板および蓋板とから概ね構成されている。
【特許文献１】実公昭５７−２９７９３号公報
【考案の開示】
【考案が解決しようとする課題】
【０００３】
しかしながら、前記組立て式柩では、組み立て作業は容易であるものの、折り畳んだ際には次のような問題がある。
すなわち、両側の側板を折り畳んだ際、上方に位置する側板が傾斜した状態で互いの先部側が重り合うため、蓋板をこの上に重ね合わせた時非常にガタ付きやすく、木製からなる側板および蓋板（特に角部）を傷付けるおそれが強い。
【０００４】
また、底板と折り畳んだ両側の側板との間に隙間がほとんどないため、引き抜いた前後板をその隙間に収容することはできない。
【０００５】
したがって、これら前後板も折り畳んだ両側の側板上に蓋板と共に重ね合せざるを得ないため、一層ガタ付きやすく、傷付ける部分も増え、かつ全体的に嵩張るため梱包や保管等に不便である。
【０００６】
そこで、本考案は、叙上のような従来存した諸事情に鑑み案出されたもので、互いに接触する木板特に角部の傷付けを極力少なくすると共に、前後板の板厚分、嵩張りがなくなるため梱包、保管、運搬等に便利となる組立て式柩を提供することを目的とする。
【課題を解決するための手段】
【０００７】
上記目的を達成するために、本考案に係る組立て式柩は、長方形状の底板と、この底板の長手方向両端に対向固定した側枠板と、これら側枠板の上端に蝶番にて内側へ倒伏自在に対向連設した側板と、底板の短手方向両端に抜き差し自在に対向立設する前後板および蓋板とから成る組立て式柩において、
前記両側板を内側へ倒伏した時に互いに略水平状態で先部側が重り合うようにして、しかも底板との間に前後板が収容できる隙間を有するよう、前記側枠板上端の高さ位置を異らせて形成したことを特徴とする。
【考案の効果】
【０００８】
本考案は、以上のとおり構成されるものであるから、蓋板が水平状態で安定して両側板上に重ね合わせることができるため、各板材のガタ付きを防止でき、その結果互いの接触する部分の損傷を防止できる。
【０００９】
また、折り畳んだ際に底板と側板との間に前後板が入る隙間が形成されるため、不必要な高さ幅の空間部分がなく、全体をコンパクトに梱包することができ、したがって、搬送や保管に便利である。さらに、前後板の損傷を防止し得るのも勿論である。
【考案を実施するための最良の形態】
【００１０】
以下、図面を参照して本考案を実施するための最良の一形態を説明すると、図において示される符号Ａは、全体を木材にて形成した組立て式柩である。
【００１１】
そして、この組立て式柩Ａは、長方形状の底板１と、この底板１の長手方向両端に対向固定した側枠板２、３と、これら側枠板２、３の上端に、内側に適宜の間隔を置いて設けた蝶番４にて内側へ倒伏自在に対向連設した側板５、６と、底板１の短手方向両端に抜き差し自在に対向立設する前後板７、８および蓋板９とから概ね構成されている。
【００１２】
底板１にはその四周に縁板１ａが突出して形成されており、該縁板１ａの内側に側枠板２、３および前後板７、８がそれぞれ設けられる。
【００１３】
側枠板２、３上端の高さ位置は、図３、図７および図８に示すように、両側板５、６を倒伏した時に互いに略水平状態で先部側が重り合うようにして、しかも底板との間に前後板７、８がだいたい一枚並べて収容できる隙間ｌを有するよう異ならせて、すなわち段違いに形成される。
【００１４】
前後板７、８は、図４に示すように、その両端面中央に下側へ開口するようにしてガイド溝７ａ、８ａが縦設されており、両側板５、６の内側両端にそれぞれ対向するように縦設されたガイド突条５ａ、６ａへ、上からガイド溝７ａ、８ａをしてそれぞれ嵌合降下させることにより、底板１の縁板１ａ内側に設けた基板１０上に対向立設する一方、上方へ垂直に持ち上げることによってガイド溝７ａ、８ａが突条５ａ、６ａから引き抜かれるものとなっている。
【００１５】
尚、蓋板９は、図１および図２に示すように、その前方側に観音開き式の扉１１が設けられている。
【００１６】
次に、本考案に係る組立て式柩Ａの使用の一例について説明する。
先ず、底板１を適宜部位に設置し、折り畳み状態の両側板５、６を蝶番４を介して側枠板２、３上に垂直に立設させる。
【００１７】
次いで、前後板７、８両端のガイド溝７ａ、８ａを、両側板５、６の内側両端のガイド突条５ａ、６ａへ上方よりそれぞれ嵌合降下させることによって、当該前後板７、８それぞれを立設固定させる。この時、両側板５、６はもちろん、前後板７、８上端はそれぞれ同じ高さ位置となっていることはいうまでもない。
【００１８】
このように底板１の四周上面に同じ高さの両側板５、６および前後板７、８をそれぞれ対向立設させることによって、上方開口の箱体が形成され、その後に蓋板９が載せられる。
【００１９】
一方、組立て式柩Ａを折り畳む場合は、先ず前後板７、８をそれぞれ上方へ持ち上げて引き抜き、底板１上に一枚ずつ並べて収容載置する。
【００２０】
次いで、両側板５、６を蝶番４を介して内側へ折り畳むと、高さの低い側枠板２側の側板５が下側位置で略水平状態に倒伏する一方、高さの高い側枠板３側の側板６が上側位置で側板５の先部と重り合うようにして略水平状態に倒伏する。この後に側板５、６上に蓋板９が載せられる。
【００２１】
この時、底板１上には側板５との間に前後板７、８が一枚収容される隙間ｌが形成されているため、全体としての厚みを、極力小さくすることができるうえに、内部に収容された前後板７、８によって側板５が突き上げられることがないものである。
【図面の簡単な説明】
【００２２】
【図１】本考案に係る組立て式柩の開蓋状態の全体斜視図を示す。
【図２】同上の一部を切り欠いた平面図を示す。
【図３】図２のＡ−Ａ断面図を示す。
【図４】前後板の組み立て前の部分斜視図を示す。
【図５】蓋板の正面図を示す。
【図６】前後板の正面図を示す。
【図７】両側板の動作を説明する正面図を示す。
【図８】蓋板を重ね合わす直前の全体の正面図を示す。
【符号の説明】
【００２３】
Ａ          組立て式柩
ｌ          高さ位置
１          底板
１ａ        縁板
２、３      側枠板
４          蝶番
５、６      側板
５ａ、６ａ  ガイド突条
７、８      前後板
７ａ、８ａ  ガイド溝
９          蓋板
１０        基板
１１        扉
【図１】
0003119927.tif 000003
【図２】
0003119927.tif 000004
【図３】
0003119927.tif 000005
【図４】
0003119927.tif 000006
【図５】
0003119927.tif 000007
【図６】
0003119927.tif 000008
【図７】
0003119927.tif 000009
【図８】
0003119927.tif 000010